(57)【要約】      （修正有）【課題】ユーザの操作性を向上させることを課題とする。【解決手段】電子機器１は、第一の筐体２Ａと、第一の筐体２Ａと開閉可能に連結された第二の筐体２Ｂと、第一の筐体２Ａおよび第二の筐体２Ｂのそれぞれの主面上に跨って配置されると共に、第一の筐体２Ａおよび第二の筐体２Ｂの開閉状態に応じて折り曲げるフレキシブルディスプレイ３およびタッチパネルとを有する表示装置を有する。電子機器１は、第一の筐体２Ａおよび第二の筐体２Ｂが予め設定された条件で開かれているか否かを判定し、予め設定された条件で開かれていると判定された場合に、表示装置の表示領域のうち折り曲げられる領域をタッチ操作の非検出の領域とする。【選択図】図１
2018073210.tif 000002
【特許請求の範囲】
【請求項１】
第一の筐体と、前記第一の筐体と開閉可能に連結された第二の筐体と、前記第一の筐体および前記第二の筐体のそれぞれの主面上に跨って配置されると共に、前記第一の筐体および前記第二の筐体の開閉状態に応じて折り曲げるフレキシブルディスプレイおよびタッチパネルとを有する表示装置と、
前記第一の筐体および前記第二の筐体が予め設定された条件で開かれているか否かを判定する判定部と、
前記予め設定された条件で開かれていると判定された場合に、前記表示装置の表示領域のうち折り曲げられる領域をタッチ操作の非検出の領域とする制御部と
を有することを特徴とする電子機器。
【請求項２】
イベントの発生を検出する検出部と、
前記検出部が前記イベントの発生を検出した場合に、前記タッチ操作を受け付けるアイコンを折り曲げられる領域に配置するアイコン配置部と、をさらに有することを特徴とする請求項１に記載の電子機器。
【請求項３】
前記折り曲げられる領域にアイコンを配置するアイコン配置部と、
前記アイコンへのタッチ操作を検出した場合に、前記折り曲げられる領域をタッチした指示体が移動する平面の領域を特定する特定部と、
前記特定部が特定した平面の領域に、アプリケーションの実行画面を表示する表示部と、をさらに有することを特徴とする請求項１に記載の電子機器。
【請求項４】
前記第一の筐体および前記第二の筐体の開く角度を検出する角度検出部と、
前記角度検出部により検出された前記第一の筐体および前記第二の筐体の開く角度に応じて、前記折り曲げられる領域に配置され且つタッチ操作を受け付けるアイコンの数を変えるアイコン制御部と、をさらに有することを特徴とする請求項１に記載の電子機器。
【請求項５】
ユーザの把持する手を特定する把持手特定部と、
前記折り曲げられる領域にアイコンを配置するアイコン配置部と、
前記アイコンへのタッチ操作を検出した場合に、前記ユーザの把持する手とは逆側の平面の領域に、アプリケーションの実行画面を表示する表示部と、をさらに有することを特徴とする請求項１に記載の電子機器。
【請求項６】
前記折り曲げられる領域は、前記第一の筐体および前記第二の筐体の開閉に伴って、曲率半径が変形することを特徴とする請求項１に記載の電子機器。
【請求項７】
第一の筐体と、前記第一の筐体と開閉可能に連結された第二の筐体のそれぞれの主面上に跨って配置されると共に、前記第一の筐体および前記第二の筐体の開閉状態に応じて折り曲げるフレキシブルディスプレイおよびタッチパネルを有し、
前記第一の筐体および前記第二の筐体が予め設定された条件で開かれていると判定された場合に、表示領域のうち折り曲げられる領域をタッチ操作の非検出の領域に設定する、
ことを特徴とする表示装置。
【請求項８】
コンピュータに、
第一の筐体と、前記第一の筐体と開閉可能に連結された第二の筐体のそれぞれの主面上に跨って配置されると共に、前記第一の筐体および前記第二の筐体の開閉状態に応じて折り曲げるフレキシブルディスプレイおよびタッチパネルとを有する表示装置に対して、前記第一の筐体および前記第二の筐体が予め設定された条件で開かれているか否かを判定し、
前記予め設定された条件で開かれていると判定された場合に、前記表示装置の表示領域のうち折り曲げられる領域をタッチ操作の非検出の領域に設定する
処理を実行させることを特徴とする操作制御プログラム。
【発明の詳細な説明】
【技術分野】
【０００１】
本発明は、電子機器、表示装置および操作制御プログラムに関する。
【背景技術】
【０００２】
従来から、スマートフォンやタブレット端末などの移動体端末の普及に伴い、移動体端末の使われ方も電話機能に限らず、読書や動画視聴などのように多種多様となっている。このようなことから、液晶画面の大型化、デュアルディスプレイなども普及し、多くの情報を表示できる移動体端末が普及している。
【先行技術文献】
【特許文献】
【０００３】
【特許文献１】特開２００７−７１６９６号公報
【特許文献２】国際公開第２０１４／１２５５３９号
【発明の概要】
【発明が解決しようとする課題】
【０００４】
しかしながら、大型の液晶画面やデュアルディスプレイを搭載する移動体端末では、ユーザがタッチパネル上でタッチ操作できる範囲が広くなり、ユーザの操作性がよくない。
【０００５】
例えば、画面が大きくなると、画面の端に表示されるアイコン等を片手で操作することが難しく、両手に持ち替えるなどの煩わしい操作が発生する。また、読書するために、本のように移動体端末を把持すると、指が画面に触れてしまい、意図しない操作が発生する。
【０００６】
一つの側面では、ユーザの操作性を向上させることができる電子機器、表示装置および操作制御プログラムを提供することを目的とする。
【課題を解決するための手段】
【０００７】
第１の案では、電子機器は、第一の筐体と、前記第一の筐体と開閉可能に連結された第二の筐体と、前記第一の筐体および前記第二の筐体のそれぞれの主面上に跨って配置されると共に、前記第一の筐体および前記第二の筐体の開閉状態に応じて折り曲げるフレキシブルディスプレイおよびタッチパネルとを有する表示装置を有する。電子機器は、前記第一の筐体および前記第二の筐体が予め設定された条件で開かれているか否かを判定する判定部を有する。電子機器は、前記予め設定された条件で開かれていると判定された場合に、前記表示装置の表示領域のうち折り曲げられる領域をタッチ操作の非検出の領域とする制御部を有する。
【発明の効果】
【０００８】
一実施形態によれば、ユーザの操作性を向上させることができる。
【図面の簡単な説明】
【０００９】
【図１】図１は、実施例１にかかる電子機器を説明する図である。
【図２】図２は、実施例１にかかる電子機器のヒンジ（閉状態）を示す斜視図である。
【図３】図３は、実施例１にかかる電子機器のヒンジ（開状態）を示す斜視図である。
【図４】図４は、ヒンジを示す分解図である。
【図５】図５は、実施例１にかかる電子機器のハードウェア構成例を示す図である。
【図６】図６は、実施例１にかかる電子機器の機能構成を示す機能ブロック図である。
【図７】図７は、折り曲がる領域を説明する図である。
【図８】図８は、実施例１にかかる折り曲がる領域の状態遷移処理の流れを示すフローチャートである。
【図９】図９は、実施例１にかかるイベント発生時の処理の流れを示すフローチャートである。
【図１０】図１０は、イベント発生時の画面遷移の具体例を説明する図である。
【図１１】図１１は、イベント発生時のタッチ操作による画面表示の具体例を説明する図である。
【図１２】図１２は、角度とアイコン配置数の関係を示す図である。
【発明を実施するための形態】
【００１０】
以下に、本願の開示する電子機器、表示装置および操作制御プログラムの実施例を図面に基づいて詳細に説明する。なお、この実施例によりこの発明が限定されるものではない。また、各実施例は、矛盾のない範囲内で適宜組み合わせることができる。
【実施例１】
【００１１】
［電子機器の説明］
図１は、実施例１にかかる電子機器１を説明する図である。この電子機器１は、スマートフォンやタブレット端末などの電子機器であり、電話機能、メール機能、各種アプリケーションの実行機能などを有する移動体端末の一例である。
【００１２】
図１に示す電子機器１は、アイコンなどの情報を表示し、ユーザのタッチ操作を受け付ける画面が折り曲げられるように構成される電子機器である。具体的には、電子機器１は、第一の筐体２Ａと、第一の筐体２Ａと開閉可能に連結された第二の筐体２Ｂと、第一の筐体２Ａおよび第二の筐体２Ｂのそれぞれの主面上に跨って配置されると共に、第一の筐体２Ａおよび第二の筐体２Ｂの開閉状態に応じて折り曲げるフレキシブルディスプレイ３から構成される表示装置２を有する。
【００１３】
ここで、フレキシブルディスプレイ３は、静電容量方式や電磁誘導方式などのタッチパネルを含み、タッチパネルを介して各種ユーザ操作を受け付けて、アプリケーションなどを実行する。また、フレキシブルディスプレイ３は、画面領域３Ａと画面領域３Ｂとを含むディスプレイであり、ヒンジ１Ａによって折り曲げられるように構成される。また、フレキシブルディスプレイ３は、画面領域３Ａと画面領域３Ｂとを１つの領域として各種情報を表示したり、画面領域３Ａと画面領域３Ｂとに領域を分割して、領域それぞれに対して各種情報を分割で表示したりする。
【００１４】
［ヒンジの説明］
また、第一の筐体２Ａと第二の筐体２Ｂは、ヒンジ１Ａによって開閉可能に接続される。ここで、ヒンジ１Ａの構造の一例を説明する。図２及び図３は、ヒンジ１Ａを示す斜視図である。図２は、閉状態（開度０）のヒンジ１Ａを示し、図３は、開状態のヒンジ１Ａを示す。図４は、ヒンジ１Ａを示す分解図である。
【００１５】
ヒンジ１Ａは、２組の第１部材１０１，１０２及び第２部材２０１，２０２の組み合わせで構成される。部材の組み合わせを複数組設けることで、ヒンジ１Ａの相対変位量を増加できる。ヒンジ１Ａは、第１部材１０１，１０２及び第２部材２０１，２０２を含む。第１部材１０１及び第２部材２０１は組をなし、第１部材１０２及び第２部材２０２は他の組をなす。
【００１６】
第１部材１０１，１０２は、それぞれ、Ｙ軸方向に突出する第１突起１２１，１２２と、円弧状の第１溝１４０とを備える。尚、第１部材１０１の第１溝１４０は、第２部材２０２に対向する側に形成されているので、図２乃至図４では、可視ではない。第１部材１０１，１０２は互いに対して固定される。
【００１７】
第２部材２０１，２０２は、それぞれ、Ｙ軸方向に突出する第２突起２２と、円弧状の第２溝２４とを備える。尚、第２部材２０２の第２突起２２は、第１部材１０２に対向する側に形成されているので、図２乃至図４では、可視ではない。第２部材２０１，２０２は、互いに対して独立に変位する。図２乃至図４に示す例では、第２部材２０１，２０２は、Ｙ軸方向で当接するが、互いにＸＺ面内の動きの自由度を拘束しあうことはない（即ちＸＺ面内で互いに対して摺動できる関係である）。
【００１８】
第２部材２０１の第２溝２４には第１部材１０１の第１突起１２１が嵌り、第１部材１０１の第１溝１４０には第２部材２０１の第２突起２２が嵌る。第２部材２０２の第２溝２４には第１部材１０２の第１突起１２２が嵌り、第１部材１０２の第１溝１４０には第２部材２０２の第２突起２２が嵌る。
【００１９】
第２部材２０１は、第１部材１０１に対して相対変位する。第２部材２０１は、第１部材１０１の第１溝１４０に嵌る第２突起２２が第１溝１４０に沿って移動し、且つ、第２溝２４に嵌る第１部材１０１の第１突起１２１が第２溝２４に沿って移動する態様で、第１部材１０１に対して相対的に変位する。この際、第２部材２０１は、好ましくは、第１部材１０１に対してインボリュート曲線を描く態様で相対的に変位する。第２部材２０１の、第１部材１０１に対する開方向は、図３に示すように、Ｙ軸の正方向に視て、時計まわりの方向に対応する。
【００２０】
第２部材２０２は、第１部材１０２に対して相対変位する。第２部材２０２は、第１部材１０２の第１溝１４０に嵌る第２突起２２が第１溝１４０に沿って移動し、且つ、第２溝２４に嵌る第１部材１０２の第１突起１２２が第２溝２４に沿って移動する態様で、第１部材１０２に対して相対的に変位する。この際、第２部材２０２は、好ましくは、第１部材１０２に対してインボリュート曲線を描く態様で相対的に変位する。第２部材２０２の、第１部材１０２に対する開方向は、第２部材２０１の、第１部材１０１に対する開方向とは逆であり、図３に示すように、Ｙ軸の正方向に視て、反時計まわりの方向に対応する。これにより、第２部材２０１及び第２部材２０２間のなす角度（後述の角度α参照）の取り得る範囲を増大できる。
【００２１】
なお、第１部材１０１及び第２部材２０１の組と、第１部材１０２及び第２部材２０２の組とが、Ｙ軸方向で隣接して設けられる例を説明したが、Ｙ軸方向で離間して設けられてもよい。
【００２２】
［ハードウェア構成］
図５は、実施例１にかかる電子機器１のハードウェア構成例を示す図である。図５に示すように、電子機器１は、無線装置３００、角度センサ３００ｂ、圧力センサ３００ｃ、オーディオ入出力部３００ｄ、表示装置３００ｅ、メモリ３００ｆ、プロセッサ３００ｇを有する。なお、ここで示したハードウェアは一例であり、ハードディスクや加速度センサなど他のハードウェアを有することもできる。
【００２３】
無線装置３００は、アンテナ３００ａを介して、基地局や他の情報処理装置と無線通信を実行する。角度センサ３００ｂは、フレキシブルディスプレイ３の折り曲げ角度（第一の筐体２Ａと第二の筐体２Ｂとの開閉角度）やヒンジ１Ａの開閉角度を検出するセンサである。圧力センサ３００ｃは、タッチパネルにかかる圧力を検出するセンサであり、ユーザのタッチ操作時の圧力やユーザが電子機器１を把持するときにかかる圧力などを検出する。
【００２４】
オーディオ入出力部３００ｄは、スピーカから音声を出力し、マイクで集音された音声に対して各種処理を実行する。表示装置３００ｅは、各種情報を表示する装置の一例であり、例えばタッチパネルが重畳されるフレキシブルディスプレイである。
【００２５】
メモリ３００ｆは、プログラムやデータを記憶する記憶装置の一例である。メモリ３００ｆの一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００２６】
プロセッサ３００ｇは、電子機器１全体の処理を司る処理部であり、例えばハードディスクなどからプログラムを読み出してメモリ３００ｆに展開し、後述する各処理を実行するプロセスを実行する。なお、プロセッサ３００ｇの一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。また、プログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【００２７】
［機能構成］
図６は、実施例１にかかる電子機器１の機能構成を示す機能ブロック図である。図６に示すように、電子機器１は、領域情報ＤＢ１０、角度測定部１１、状態制御部１２、アイコン制御部１３を有する。なお、領域情報ＤＢ１０は、メモリなどの記憶装置に記憶される。角度測定部１１、状態制御部１２、アイコン制御部１３は、プロセッサなどが有する電子回路の一例やプロセッサが実行するプロセスの一例である。
【００２８】
領域情報ＤＢ１０は、折り曲がる領域、言い換えると、折り曲げられる領域に関する領域情報とそれ以外の平面領域に関する領域情報を記憶するデータベースである。例えば、領域情報ＤＢ１０は、各領域情報について、領域を特定する４点の座標「Ｘ軸の座標、Ｙ軸の座標」を記憶する。
【００２９】
ここで、フレキシブルディスプレイ３上における折り曲がる領域について説明する。図７は、折り曲がる領域を説明する図である。図７の（ａ）、（ｂ）、（ｃ）は、電子機器１を閉状態から開状態へ遷移させた例を示している。折り曲がる領域５は、図７の（ａ）に示すように、電子機器１が閉状態のときに、フレキシブルディスプレイ３の画面領域３Ａと画面領域３Ｂとが接触せずに最も離れる領域を指す。
【００３０】
つまり、折り曲がる領域５は、図７の（ｃ）に示すように、文庫本のような用途で電子機器１を使用するために、ユーザが電子機器１を把持するときに、親指などが接触する領域である。この領域は、フレキシブルディスプレイ３のサイズ等によって任意に変更することができる。
【００３１】
（閉状態）
図７の（ａ）に示されるように、第一の筐体２Ａおよび第二の筐体２Ｂが閉状態にある場合には、第一の筐体２Ａおよび第二の筐体２Ｂの主面が向き合う状態となる。このとき、フレキシブルディスプレイ３は、２つに折り畳まれた状態となる。また、第一の筐体２Ａおよび第二の筐体２Ｂが閉状態にある場合には、第一の筐体２Ａおよび第二の筐体２Ｂの開閉先端部が互いに当接した状態となる。一方、第一の筐体２Ａおよび第二の筐体２Ｂを接続するヒンジ１Ａが配置する側は、第一の筐体２Ａと第二の筐体２Ｂとの間には隙間が生じる。この隙間には、フレキシブルディスプレイ３が、第一の筐体２Ａと第二の筐体２Ｂによって潰されることが抑制される。この結果、鋭角に屈曲せずに湾曲した状態となり、フレキシブルディスプレイ３への局所的な集中応力が抑制される。このとき、折り曲がる領域５は、フレキシブルディスプレイ３上のヒンジ１Ａが配置された位置に対応する領域又はフレキシブルディスプレイ３の湾曲した領域に相当する。
【００３２】
（閉状態から開状態への遷移）
図７に示されるように、第一の筐体２Ａおよび第二の筐体２Ｂが閉状態から開状態に遷移する場合には、第一の筐体２Ａおよび第二の筐体２Ｂの開動作に伴って、折り畳まれた状態のフレキシブルディスプレイ３が徐々に展開される。このとき、折り曲がる領域５は、閉状態から開状態への遷移に伴って曲面が変形する。例えば、折り曲がる領域５は、閉状態から開状態への遷移に伴って曲面の曲率半径が大きくなるように変形する。
【００３３】
（開状態から閉状態への遷移）
図７に示される順序とは逆に、第一の筐体２Ａおよび第二の筐体２Ｂが開状態から閉状態に遷移する場合には、第一の筐体２Ａおよび第二の筐体２Ｂの閉動作に伴って、展開した状態のフレキシブルディスプレイ３が徐々に折り畳まれる。このとき、折り曲がる領域５は、開状態から閉状態への遷移に伴って曲面が変形する。例えば、折り曲がる領域５は、開状態から閉状態への遷移に伴って曲面の曲率半径が小さくなるように変形する。
【００３４】
（開状態）
第一の筐体２Ａおよび第二の筐体２Ｂが開状態にある場合には、第一の筐体２Ａおよび第二の筐体２Ｂの主面が同じ正面方向を向いた状態となる。このとき、第一の筐体２Ａおよび第二の筐体２Ｂは平面状に並んだ状態となる。第一の筐体２Ａおよび第二の筐体２Ｂの主面はフレキシブルディスプレイ３に覆われている。したがって、フレキシブルディスプレイ３は平面状に展開される。つまり、折り曲がる領域５は、平面状となる。
【００３５】
図６に戻り、角度測定部１１は、電子機器１の開閉角度、すなわち第一の筐体２Ａと第二の筐体２Ｂの開閉角度を測定する処理部である。具体的には、角度測定部１１は、角度センサ３００ｂが測定した角度を随時取得して、状態制御部１２に出力する。
【００３６】
状態制御部１２は、電子機器１の開閉角度にしたがって、折り曲がる領域５へのタッチ操作の有効／無効を制御する処理部である。具体的には、状態制御部１２は、角度測定部１１から入力された角度が１８０度であるとき、折り曲がる領域５へのタッチ操作を有効状態に設定し、角度測定部１１から入力された角度が１８０度ではないとき、折り曲がる領域５へのタッチ操作を無効状態に設定し、設定した情報をアイコン制御部１３に出力する。なお、ここでは、閾値の一例として１８０度を用いたが、任意に設定変更することができる。
【００３７】
また、状態制御部１２は、角度測定部１１から入力された角度により、折り曲がる領域５のうちタッチ操作を無効状態する領域を変更することができる。例えば、状態制御部１２は、開状態から閉状態への遷移に伴って、折り曲がる領域５のうちタッチ操作を無効状態する領域を狭くなるように変更する。また、状態制御部１２は、閉状態から開状態への遷移に伴って、折り曲がる領域５のうちタッチ操作を無効状態する領域を広くなるように変更する。
【００３８】
アイコン制御部１３は、検出部１４とアイコン配置部１５と操作実行部１６とを有し、折り曲がる領域５へのタッチ操作が無効状態であるときに、メール受信や着信などのイベント発生時に、各種処理を実行する処理部である。なお、折り曲がる領域５へのタッチ操作が有効状態であるときは、一般的なタッチパネルを用いたタッチ操作と同一であるので、詳細な説明は省略する。
【００３９】
検出部１４は、イベント発生を検出する処理部である。具体的には、検出部１４は、各種アプリケーションを監視し、アプリケーションのイベント実行等を検出して、アイコン配置部１５に通知する。例えば、検出部１４は、着信、メール受信、ゲームのイベント、ＳＮＳ（Social  Networking  Service）の通知受信などを検出すると、検出したアプリケーションを特定する情報などをアイコン配置部１５に通知する。
【００４０】
アイコン配置部１５は、検出部１４から通知されたアプリケーションを起動するためのアイコンを、折り曲がる領域５に配置する処理部である。例えば、アイコン配置部１５は、ＳＮＳの通知受信などが検出部１４から通知されると、折り曲がる領域５へのタッチ操作を無効状態にしたまま、タッチ操作可能なＳＮＳのアイコンを折り曲がる領域５に表示させる。なお、表示させる位置は、任意に設定することができるが、例えば折り曲がる領域５の中央よりもユーザの手（指）がタッチパネル（フレキシブルディスプレイ３）と接触する方向（電子機器１の下方向）が好ましい。
【００４１】
操作実行部１６は、アイコン配置部１５によって表示されたアイコンへのタッチ操作を検出して、該当するアプリケーションを実行する処理部である。具体的には、操作実行部１６は、タッチ操作が抑制されている折り曲がる領域５に表示されたアイコンに対して、タッチ操作を検出した場合、当該アイコンに対応するアプリケーションの実行画面を、タッチパネルを有するフレキシブルディスプレイ３の画面領域３Ａまたは画面領域３Ｂに表示する。例えば、操作実行部１６は、すでに表示されている画面に、アプリケーションの実行画面を重畳させて表示する。
【００４２】
また、操作実行部１６は、画面領域３Ａまたは画面領域３Ｂのいずれに表示させるかを、予め決めておいてもよく、動的に決定することもできる。ここでは、動的に決定する例を説明する。
【００４３】
（把持手による決定）
例えば、操作実行部１６は、ユーザが片手で電子機器１を把持するときに、把持する手が右手か左手かを判別し、把持する手と反対側の画面領域に、アプリケーションの実行画面を表示する。より詳細には、操作実行部１６は、把持する手が右手であればフレキシブルディスプレイ３の左画面である画面領域３Ａにアプリケーションの実行画面を表示し、把持する手が左手であればフレキシブルディスプレイ３の右画面である画面領域３Ｂにアプリケーションの実行画面を表示する。
【００４４】
より詳細には、操作実行部１６は、タッチパネルと手が接触する領域によって、電子機器１を把持する手を特定することができる。例えば、操作実行部１６は、タッチパネルと手が接触する領域を特定し、画面領域３Ａの接触領域の方が画面領域３Ｂの接触領域よりも多い場合、左手による把持と判定し、画面領域３Ｂの接触領域の方が多い場合は、右手による把持と判定する。なお、どちらの手で把持するかは、ユーザが予め設定することもできる。
【００４５】
また、操作実行部１６は、タッチパネルと手が接触する領域のうち最も圧力が高い領域がいずれの画面領域に属するかによって、電子機器１を把持する手を特定することができる。例えば、操作実行部１６は、最も圧力の高い領域が画面領域３Ａに属する場合、左手による把持と判定し、最も圧力の高い領域が画面領域３Ｂに属する場合は、右手による把持と判定する。なお、圧力は、圧力センサ３００ｃ等から取得できる。
【００４６】
また、操作実行部１６は、タッチパネルに接触する手の接触範囲の延びる方向から、電子機器１を把持する手を特定することもできる。例えば、操作実行部１６は、電子機器１の長手方向をＸ軸、短手方向をＹ軸、画面領域３Ａと画面領域３Ｂとの境を（Ｘ、Ｙ）＝（０、０）としたとき、手がタッチパネルと接触するベクトル方向によって、把持する手を特定する。より詳細には、操作実行部１６は、（Ｘ、Ｙ）＝（０、０）の位置を起点にして、Ｘ軸のプラス方向（画面領域３Ｂの方向）かつＹ軸のプラス方向（手と反対の方向）のベクトルの場合は、左手による把持と判定する。同様に、操作実行部１６は、Ｘ軸のマイナス方向（画面領域３Ａの方向）かつＹ軸のプラス方向（手と反対の方向）のベクトルの場合は、右手による把持と判定する。なお、図７の（ｃ）の場合は、指の接触方向（ベクトル方向）を延長すると画面領域３Ｂと交わるので、左手による把持と判定される。
【００４７】
（スライド操作）
例えば、操作実行部１６は、フリック操作によってアイコンがスライドした場合に、フリック方向の画面領域すなわちスライド先の画面領域に、アプリケーションの実行画面を表示する。例えば、操作実行部１６は、アイコンが画面領域３Ａにスライドされた場合、画面領域３Ａにアプリケーションの実行画面を表示し、アイコンが画面領域３Ｂにスライドされた場合、画面領域３Ｂにアプリケーションの実行画面を表示する。
【００４８】
（アイコン消去）
例えば、操作実行部１６は、アイコンが表示されてから所定時間（例えば１分）内に、アイコンへのタッチ操作を検出しない場合は、当該アイコンの表示を終了する。また、操作実行部１６は、フリック操作によってアイコンが折り曲がる領域５内でスライドした場合、当該アイコンの表示を終了する。
【００４９】
［状態遷移処理］
図８は、実施例１にかかる折り曲がる領域５の状態遷移処理の流れを示すフローチャートである。図８に示すように、角度測定部１１は、開閉角度が変化すると（Ｓ１０１：Ｙｅｓ）、角度センサ３００ｂから開閉角度を取得する（Ｓ１０２）。なお、角度測定部１１は、角度センサ３００ｂから測定する開閉角度を随時取得することもできる。
【００５０】
続いて、状態制御部１２は、取得された開閉角度が１８０度である場合（Ｓ１０３：Ｙｅｓ）、折り曲がる領域５へのタッチ操作を有効（有効状態）に設定する（Ｓ１０４）。一方、状態制御部１２は、取得された開閉角度が１８０度ではない場合（Ｓ１０３：Ｎｏ）、折り曲がる領域５へのタッチ操作を無効（無効状態）に設定する（Ｓ１０５）。
【００５１】
［イベント発生処理］
図９は、実施例１にかかるイベント発生時の処理の流れを示すフローチャートである。図９に示すように、検出部１４がイベント発生を検出すると（Ｓ２０１：Ｙｅｓ）、アイコン配置部１５は、折り曲がる領域５が無効状態か否かを判定する（Ｓ２０２）。ここで、折り曲がる領域５が無効状態ではなく有効状態と判定された場合（Ｓ２０２：Ｎｏ）、一般的な処理と同様、タッチパネルの所定領域にアイコンが表示される（Ｓ２０３）。
【００５２】
一方、アイコン配置部１５は、折り曲がる領域５が無効状態であると判定した場合（Ｓ２０２：Ｙｅｓ）、折り曲がる領域５にタッチ操作可能な領域を設定し、設定した当該領域にイベントが発生したアプリケーションのアイコンを表示する（Ｓ２０４）。
【００５３】
そして、操作実行部１６は、表示されたアイコンに対して、一定時間以内にタッチ操作等の操作を検出しない場合（Ｓ２０５：Ｎｏ）、アイコンの表示を終了する（Ｓ２０６）。
【００５４】
一方、操作実行部１６は、表示されたアイコンに対して、一定時間以内にタッチ操作等の操作を検出した場合（Ｓ２０５：Ｙｅｓ）、操作実行部１６は、折り曲がる領域５へのタッチ操作を一定時間有効にし、操作手法がタッチ操作か否かを判定する（Ｓ２０７）。
【００５５】
ここで、操作実行部１６は、操作手法がタッチ操作である場合（Ｓ２０７：Ｙｅｓ）、把持する手が右手か左手かを特定し（Ｓ２０８）、把持する手と反対側の画面領域に、該当するアプリケーションの実行画面を表示する（Ｓ２０９）。
【００５６】
一方、操作実行部１６は、操作手法がタッチ操作ではなくフリック操作である場合（Ｓ２０７：Ｎｏ）、フリック操作によってスライドされた方向が折り曲がる領域５の外か否かを判定する（Ｓ２１０）。
【００５７】
そして、操作実行部１６は、スライドされた方向が折り曲がる領域５の外か否かを判定し、折り曲がる領域５の外までスライドされた場合（Ｓ２１０：Ｙｅｓ）、スライド方向の画面領域に、該当するアプリケーションの実行画面を表示する（Ｓ２１１）。一方、操作実行部１６は、スライドされた方向が折り曲がる領域５内である場合（Ｓ２１０：Ｎｏ）、アイコンの表示を終了する（Ｓ２１２）。
【００５８】
［具体例］
次に、イベント発生時に、折り曲がる領域５に表示されるアイコンの具体例および当該アイコンへの操作による画面遷移の具体例を説明する。
【００５９】
図１０は、イベント発生時の画面遷移の具体例を説明する図である。図１０に示すように、電子機器１は、読書アプリケーションなどを実行して小説などを表示している状態で、アプリケーションのイベント発生を検出すると、折り曲がる領域５に、該当アプリケーションのアイコンを表示する（Ｓ１）。
【００６０】
その後、電子機器１は、表示したアイコンへのタッチ操作を検出しない場合は、アイコンの表示を終了する（Ｓ２）。同様に、電子機器１は、フリック操作によって、表示したアイコンが折り曲がる領域５内にスライドされた場合も（Ｓ３）、アイコンの表示を終了する（Ｓ４）。なお、ここでは、スライド方向の一例として、手とは反対方向にスライドされた場合を図示したが、手と同じ方向にスライドされた場合も同様に処理することができる。
【００６１】
図１１は、イベント発生時のタッチ操作による画面表示の具体例を説明する図である。図１１に示すように、電子機器１は、読書アプリケーションなどを実行して小説などを表示している状態で、折り曲がる領域５にアイコンを表示する。
【００６２】
この状態で、電子機器１は、アイコンがフリック操作によって画面領域３Ｂにスライドされた場合（Ｓ１０）、画面領域３Ｂに、アプリケーションの実行画面６を表示する（Ｓ１１）。
【００６３】
一方、電子機器１は、折り曲がる領域５に表示されるアイコンへのタッチ操作を検出すると（Ｓ１２）、電子機器１を把持する手が右手であることから、右手と反対側の画面領域３Ａに、アプリケーションの実行画面６を表示する（Ｓ１３）。この状態で、電子機器１は、フリック操作によって、画面領域３Ａに表示されるアプリケーションの実行画面６が画面領域３Ｂにスライドされた場合（Ｓ１４）、操作実行部１６によって、アプリケーションの実行画面６を画面領域３Ａから画面領域３Ｂへ移動させる（Ｓ１５）。つまり、電子機器１は、アプリケーションの実行画面６の表示を、画面領域３Ａではなく画面領域３Ｂに表示する。
【００６４】
［効果］
上述したように、電子機器１は、イベントが発生するまで、指示体の一例である指が画面に触れる領域のタッチ操作を無効にすることができるので、指が画面に触れることによる意図しない操作の発生を抑制でき、ユーザの操作性を向上させることができる。また、電子機器１は、折り曲がる領域５を有するタッチパネルを有する場合であっても、ユーザの手が触れる折り曲がる領域５のタッチ操作を、イベント発生によって状態遷移させることができるので、ユーザの操作性を向上させることができる。
【００６５】
また、電子機器１は、折り曲がる領域５に表示されるアイコンに対しても、通常のアイコンのようにフリック操作などを受け付けることができる。また、電子機器１は、アプリケーションの実行画面に対してもフリック操作などを受け付けることができる。したがって、ユーザは、通常のアイコンと変わらない操作で、画面の表示や画面の切替を実行することができる。
【実施例２】
【００６６】
さて、これまで本発明の実施例について説明したが、本発明は上述した実施例以外にも、種々の異なる形態にて実施されてよいものである。そこで、以下に異なる実施例を説明する。
【００６７】
［スライド操作］
上記実施例では、アイコン等がフリック操作によってスライドされる例を説明したが、実際にスライドされずに、単にスライドする方向へのフリック操作が検出された場合でも、同様に処理することができる。
【００６８】
［アイコンの配置数］
例えば、電子機器１は、タッチ操作可能なアイコンを折り曲がる領域５に予め配置することもでき、使用回数の多いアイコン等をタッチ操作可能な状態で折り曲がる領域５に配置させておくこともできる。このとき、電子機器１は、電子機器１の開閉角度に応じて、配置するアイコンの数を動的に変更することができる。例えば、電子機器１は、角度とアイコンの配置数とを対応付けたＤＢを保持しておき、ＤＢに基づいて配置数を変更する。
【００６９】
図１２は、角度とアイコンの配置数の関係を示す図である。図１２に示すように、電子機器１は、開閉角度を示す角度と、配置するアイコン数を示すアイコンの配置数とを対応付けたＤＢを保持する。図１２の場合、電子機器１は、開閉角度が１００度のときは、３つのアイコンを配置し、開閉角度が１４０度のときは、７つのアイコンを配置する。なお、電子機器１は、表示するアイコンの選択例として、利用回数の多いアイコンを優先することもできる。また、ユーザが、表示するアイコンを予め設定することもできる。
【００７０】
［アイコンのタッチ制御］
例えば、電子機器１は、イベントが発生したときの開閉角度が閾値（例えば１２０度）未満であれば、タッチ操作を受け付けない状態のアイコンを表示し、その後に、開閉角度が閾値を越えた場合に、アイコンをタッチ操作が受け付け可能な状態に遷移させることもできる。なお、上記実施例で説明した閾値や所定時間などは、任意に設定変更することができる。
【００７１】
［システム］
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７２】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００７３】
１  電子機器
３  フレキシブルディスプレイ
１０  領域情報ＤＢ
１１  角度測定部
１２  状態制御部
１３  アイコン制御部
１４  検出部
１５  アイコン配置部
１６  操作実行部
【図１】
2018073210.tif 000003
【図２】
2018073210.tif 000004
【図３】
2018073210.tif 000005
【図４】
2018073210.tif 000006
【図５】
2018073210.tif 000007
【図６】
2018073210.tif 000008
【図７】
2018073210.tif 000009
【図８】
2018073210.tif 000010
【図９】
2018073210.tif 000011
【図１０】
2018073210.tif 000012
【図１１】
2018073210.tif 000013
【図１２】
2018073210.tif 000014